(57)【要約】【課題】録画処理が正常に実行されない録画予約の内容を遠隔地に居るユーザに提示することが可能な信号処理装置および録画予約通知方法を実現する。【解決手段】本記録再生装置１０は、ネットワーク２０を介して、放送番組情報提供サーバ６０および携帯端末８１に接続されている。記録再生装置１０は、ネットワーク２０および外部から放送番組情報を取得し、取得した放送番組情報と、放送番組情報提供サーバ６０から送信された放送番組情報とを格納する。記録再生装置１０は、あらかじめ指定されたキーワードに関連する放送番組と、格納された放送番組情報の内容とが一致する放送番組とを録画予約情報として記録する。記録再生装置１０は、記録された録画予約情報の中で、録画時間の開始から終了までの録画時間帯とが重複している録画予約情報の内容を含む電子メールを携帯端末８１に送信する。【選択図】      図１
2007088721.tif 000002
【特許請求の範囲】
【請求項１】
放送番組を録画処理する信号処理装置であって、
放送番組情報群を受信する受信手段と、
キーワードを格納するキーワード格納手段と、
前記受信手段によって受信された放送番組情報群の中から前記格納されたキーワードに関連する放送番組情報を選択し、前記選択された放送番組毎に録画処理に関する内容および録画優先度を含む録画予約情報を記憶する記憶手段と、
前記記憶手段に記録された録画予約情報の中から、録画処理が失敗する可能性のある録画予約情報を検出する検出手段と、
前記検出手段によって検出された録画予約情報の中で、前記録画優先度が最も高い録画予約情報以外の録画予約情報を含む電子メールを送信する送信手段とを具備することを特徴とする信号処理装置。
【請求項２】
前記検出手段によって検出された録画予約情報の中で、前記録画優先度が最も高い録画予約情報の録画処理が実行されるように制御する制御手段をさらに具備することを特徴とする請求項１記載の信号処理装置。
【請求項３】
前記記憶手段に記憶された録画予約情報の内容および録画優先度を変更する編集手段と、前記編集手段によって録画予約情報が変更された時、前記検出手段の検出処理および前記送信手段の送信処理を実行させる制御手段とをさらに具備することを特徴とする請求項１記載の信号処理装置。
【請求項４】
録画予約情報は、録画開始時間と録画終了時間とから構成される時間帯を含み、
前記検出手段は、前記記憶手段に記憶された録画予約情報の中から前記時間帯が重複する録画予約情報を抽出することを含むことを特徴とする請求項１記載の信号処理装置。
【請求項５】
前記検出手段によって前記検出された録画予約情報の中に録画優先度が同一の録画予約情報があるか否かを判別する判別手段と、
前記判別手段によって判別された録画優先度が同一の録画予約情報の中で、最も遅い録画開始時間を含む録画予約情報の録画処理が正常に実行されるように制御する制御手段と、
前記判別手段によって判別された録画優先度が同一の録画予約情報の中で最も遅い録画開始時間を含む録画予約情報以外の録画予約情報を含む電子メールを送信する第２の送信手段とをさらに具備することを特徴とする請求項４記載の信号処理装置。
【請求項６】
前記電子メールが送信されたことを示す識別子を前記送信手段によって送信された録画予約情報に付加する識別子付加手段と、
前記編集手段によって前記記憶手段に記憶された録画予約情報が変更された時、前記検出手段の検出処理を実行させる検出制御手段と、
前記検出手段によって検出された録画予約情報の中から録画優先度が同一の録画予約情報があるか否かを判別する判別手段と、
録画予約優先度が同一である録画予約情報がないと判別された場合、前記検出手段によって検出された録画予約情報の中で、録画優先度の最も高い録画予約情報以外の録画予約情報であって、前記識別子が付加されていない録画予約情報を含む電子メールを送信する第２の送信手段と、
録画予約優先度が同一である録画予約情報があると判別された場合、前記検出手段によって検出された録画予約情報の中で、最も遅い録画開始時間を含む録画予約情報以外の録画予約情報であって、前記識別子が付加されていない録画予約情報を含む電子メールを送信する第３の送信手段とをさらに具備することを特徴とする請求項４記載の信号処理装置。
【請求項７】
前記判別手段によって、録画優先度が同一である録画予約情報があると判別された場合、前記録画優先度が同一である録画予約情報の中から、最も遅い録画開始時間を含む録画予約情報の録画処理が正常に実行されるように制御する録画処理制御手段をさらに具備することを特徴とする請求項６記載の信号処理装置。
【請求項８】
前記受信手段によって放送番組情報が受信された時に、前記記録手段の記録処理および前記送信手段の送信処理を実行させる実行制御手段をさらに具備することを特徴とする請求項１記載の信号処理装置。
【請求項９】
前記録画優先度は、第１の録画優先度と前記第１の録画優先度よりも低い第２の録画優先度とのいずれかであることを含み、
前記受信手段によって受信された放送番組情報群の中から録画予約情報がユーザによって選択され、ユーザによって前記選択された放送番組毎に録画処理に関する内容および手動録画優先度を記憶する記憶手段をさらに具備し、
前記手動録画優先度は、前記第１の録画優先度よりも高い第３の録画優先度と前記第１の録画優先度よりも低く前記第２の録画優先度よりも高い第４の録画優先度とのいずれかの録画優先度であることを含むことを特徴とする請求項１記載の信号処理装置。
【請求項１０】
放送番組を録画処理する信号処理装置に適用される録画予約通知方法であって、
放送番組情報群を受信する受信ステップと、
キーワードを格納するキーワード格納ステップと、
前記受信ステップによって受信された放送番組情報群の中から前記格納されたキーワードに関連する放送番組情報を選択し、前記選択された放送番組毎に録画処理に関する内容および録画優先度を含む録画予約情報を前記信号処理装置内に記憶する記憶ステップと、
前記記憶ステップによって記録された録画予約情報の中から、録画処理が失敗する可能性のある録画予約情報を検出する検出ステップと、
前記検出ステップによって検出された録画予約情報の中で、前記録画優先度が最も高い録画予約情報以外の録画予約情報を含む電子メールを送信する送信ステップとを具備することを特徴とする録画予約通知方法。
【請求項１１】
前記検出ステップによって検出された録画予約情報の中で、前記録画優先度が最も高い録画予約情報の録画処理が実行されるように制御する制御ステップをさらに具備することを特徴とする請求項１０記載の録画予約通知方法。
【請求項１２】
前記記憶ステップによって記憶された録画予約情報の内容および録画優先度を変更する編集ステップと、前記編集ステップによって録画予約情報が変更された時、前記検出ステップの検出処理および前記送信ステップの送信処理を実行させる制御ステップとをさらに具備することを特徴とする請求項１０記載の録画予約通知方法。
【請求項１３】
録画予約情報は、録画開始時間と録画終了時間とから構成される時間帯を含み、
前記検出ステップは、前記記憶ステップに記憶された録画予約情報の中から前記時間帯が重複する録画予約情報を抽出することを含むことを特徴とする請求項１０記載の録画予約通知方法。
【請求項１４】
前記検出ステップによって前記検出された録画予約情報の中に録画優先度が同一の録画予約情報があるか否かを判別する判別ステップと、
前記判別ステップによって判別された録画優先度が同一の録画予約情報の中で、最も遅い録画開始時間を含む録画予約情報の録画処理が正常に実行されるように制御する制御ステップと、
前記判別ステップによって判別された録画優先度が同一の録画予約情報の中で最も遅い録画開始時間を含む録画予約情報以外の録画予約情報を含む電子メールを送信する第２の送信ステップとをさらに具備することを特徴とする請求項１３記載の録画予約通知方法。
【請求項１５】
前記電子メールが送信されたことを示す識別子を前記送信ステップによって送信された録画予約情報に付加する識別子付加ステップと、
前記編集ステップによって前記記憶ステップによって記憶された録画予約情報が変更された時、前記検出ステップの検出処理を実行させる検出制御ステップと、
前記検出ステップによって検出された録画予約情報の中から録画優先度が同一の録画予約情報があるか否かを判別する判別ステップと、
録画予約優先度が同一である録画予約情報がないと判別された場合、前記検出ステップによって検出された録画予約情報の中で、録画優先度の最も高い録画予約情報以外の録画予約情報であって、前記識別子が付加されていない録画予約情報を含む電子メールを送信する第２の送信ステップと、
録画予約優先度が同一である録画予約情報があると判別された場合、前記検出ステップによって検出された録画予約情報の中で、最も遅い録画開始時間を含む録画予約情報以外の録画予約情報であって、前記識別子が付加されていない録画予約情報を含む電子メールを送信する第３の送信ステップとをさらに具備することを特徴とする請求項１３記載の録画予約通知方法。
【請求項１６】
前記判別ステップによって、録画優先度が同一である録画予約情報があると判別された場合、前記録画優先度が同一である録画予約情報の中から、最も遅い録画開始時間を含む録画予約情報の録画処理が正常に実行されるように制御する制御ステップをさらに具備することを特徴とする請求項１５記載の録画予約通知方法。
【請求項１７】
前記受信ステップによって放送番組情報が受信された時に、前記記録ステップの記録処理および前記送信ステップの送信処理を実行させる実行制御ステップをさらに具備することを特徴とする請求項１０記載の録画予約通知方法。
【請求項１８】
前記録画優先度は、第１の録画優先度と前記第１の録画優先度よりも低い第２の録画優先度とのいずれかであることを含み、
前記受信ステップによって受信された放送番組情報群の中から録画予約情報がユーザによって選択され、ユーザによって前記選択された放送番組毎に録画処理に関する内容および手動録画優先度を前記信号処理装置内に記憶する記憶ステップをさらに具備し、
前記手動録画優先度は、前記第１の録画優先度よりも高い第３の録画優先度と前記第１の録画優先度よりも低く前記第２の録画優先度よりも高い第４の録画優先度とのいずれかの録画優先度であることを含むことを特徴とする請求項１０記載の録画予約通知方法。
【発明の詳細な説明】
【技術分野】
【０００１】
本発明は、例えば録画、再生および録画予約機能を有する信号処理装置および同装置で用いられる録画予約通知方法に関する。
【背景技術】
【０００２】
近年、ＴＶ番組のような放送波に重畳されて送信される放送番組データに基づいて、放送番組の録画処理の実行を予約することが可能な映像録画再生装置のようなＡＶ（オーディオ・ビデオ）レコーダが開発されている。さらに、デジタル放送技術の発展によりデジタル放送波を受信するＡＶレコーダも開発されている。
【０００３】
特許文献１には、録画候補となる放送番組に対して録画予約処理を実行するとともに、録画対象である放送番組の録画期間が重複したとき、その重複したことを携帯電話等の外部機器に送信する技術が開示されている。ユーザは、録画予約された放送番組の中で、録画期間が重複した放送番組を外部機器で視認することが出来る。
【特許文献１】特開２００２−１６８８９号公報
【発明の開示】
【発明が解決しようとする課題】
【０００４】
しかし、特許文献１に記載の録画装置においては、重複している放送番組の録画予約の内容を外部機器に送信するとともに、送信した内容の中から録画処理を実行すべき放送番組を選択する応答が必要であった。もし、この応答に対して録画処理を実行すべき放送番組を選択する指示がユーザによってなされなかった場合にのみ、重複している放送番組の録画予約の中からいずれかの放送番組が、自動的に録画処理を実行すべき放送番組として選択されてしまう。このため、録画装置から離れた例えば遠隔地においては、ユーザは、録画処理が正常に実行されない放送番組を確認することが出来ない。
【０００５】
また、この録画装置は、例えば外部から送信される放送波に重畳される例えばＥＰＧ（Electric program guide）のような電子番組表から、予め指定されたキーワード等に関連する放送番組が自動的に録画予約される自動録画予約機能を有していない。
【０００６】
さらに、自動録画予約機能においては、放送番組の録画予約処理が自動的に実行される際に、録画期間の重複などにより録画処理が正常に実行されないことが予想される。このことから、録画処理が正常に実行されない放送番組を簡潔に提示することも望まれる。
【０００７】
本発明は上述の事情を考慮してなされたもので、録画処理が正常に実行されない録画予約の内容を遠隔地に居るユーザに提示することが可能な信号処理装置および録画予約通知方法を提供することを目的とする。
【課題を解決するための手段】
【０００８】
上述の課題を解決するために、本発明は、放送番組を録画処理する信号処理装置であって、放送番組情報群を受信する受信手段と、キーワードを格納するキーワード格納手段と、前記受信手段によって受信された放送番組情報群の中から前記格納されたキーワードに関連する放送番組情報を選択し、前記選択された放送番組毎に録画処理に関する内容および録画優先度を含む録画予約情報を記憶する記憶手段と、前記記憶手段に記録された録画予約情報の中から、録画処理が失敗する可能性のある録画予約情報を検出する検出手段と、前記検出手段によって検出された録画予約情報の中で、前記録画優先度が最も高い録画予約情報以外の録画予約情報を含む電子メールを送信する送信手段とを具備することを特徴とする。
【発明の効果】
【０００９】
本発明によれば、録画処理が正常に実行されない録画予約の内容を遠隔地に居るユーザに提示することが可能となる。
【発明を実施するための最良の形態】
【００１０】
以下、図面を参照して本発明の実施例を説明する。
【００１１】
図１には、信号処理装置と外部装置との間のネットワークシステム構成の例が示されている。本信号処理装置は、例えばＴＶ番組のような放送番組（オーディオ・ビデオ（ＡＶ）信号）を録画および再生する記録再生装置１０として実現されている。この記録再生装置１０には、例えばインターネットなどのネットワーク７０を介して、放送番組情報提供サーバ６０および携帯端末８１などに接続されている。記録再生装置１０は、このネットワーク７０を介して、放送番組情報提供サーバ６０および携帯端末８１などと通信を実行する機能を有する。放送番組情報提供サーバ６０は、放送番組データを識別するための例えば放送番組名と、放送番組の放送時間（放送開始時間、放送時間）とを含む放送番組情報群を配信するサーバコンピュータである。この放送番組情報提供サーバ６０は、放送番組情報を提供する者（放送番組情報を提供する企業など）によって最新の放送番組の内容に更新された放送番組情報群を配信する。携帯端末８１は、携帯電話、ＰＤＡ（Personal Digital Assistant）などの持ち運び可能な移動通信装置である。
【００１２】
本記録再生装置１０は、以下の機能を有する。
【００１３】
（１）放送波に重畳されて送信される例えばＥＰＧ（Electric program guide）のような電子番組表から構成される放送番組情報群を受信する。
【００１４】
（２）ネットワーク７０を経由して放送番組情報提供サーバ６０から放送番組情報群を受信する。
【００１５】
（３）録画予約に関するキーワードを予め指定しておくことで、受信した放送番組情報群の中から指定されたキーワードに合致する放送番組情報を検索し、検索された放送番組の録画処理の実行を予約する録画予約処理を実行する。また、放送番組情報群の中から放送番組の録画処理の実行を予約する放送番組情報がユーザによって選択されることによって、その選択された放送番組情報に対して録画予約処理も実行される。
【００１６】
（４）録画予約された複数の放送番組（以下、録画予約情報と称する）それぞれに録画処理を実行する順番を示す録画優先度を付加する。
【００１７】
（５）録画優先度が付加された複数の録画予約情報それぞれに基づいて、録画処理が正常に実行できない可能性のある、即ち複数の録画予約情報それぞれの内容（例えば、録画時間）が重複している場合、その内容が重複している録画予約情報の内容を含む電子メールを携帯端末８１に送信する録画予約通知処理を実行する。
【００１８】
本記録再生装置１０は、例えば、キーワード毎に録画優先度が設定されている場合、キーワードに関連する放送番組が複数録画予約されてしまう問題がある。即ち、録画優先度が同一である複数の録画予約情報が作成される場合もある。このため、録画予約通知処理においては、記録再生装置１０は、録画時間が重複している録画予約情報の中に録画優先度が同一である録画予約情報がある場合、その同一の録画優先度の中から最も遅い録画開始時間を含む録画予約情報以外の録画予約情報を選択し、選択された録画予約情報の内容を含む電子メールを携帯端末８１に送信する。
【００１９】
記録再生装置１０は、録画処理が正常に実行できない可能性のある録画予約情報の中に録画優先度が同一である録画予約情報がある場合、その同一の録画優先度の録画予約情報の中で最も遅い録画開始時間を含む録画予約情報の録画処理が正常に実行されるように制御する。
【００２０】
また、記録再生装置１０は、例えばリモートコントロールユニットから赤外線信号などによって送信されるリモコンコードに応じて、ＡＶ信号の記録、再生および録画予約動作を制御するようにも構成されている。録画優先度と、放送番組の内容（例えば、放送時間）とが重複している場合、重複している放送番組の内容を携帯端末８１に送信する録画予約通知処理を実行する。
【００２１】
次に図２のブロック図を参照して、本記録再生装置１０のシステム構成の例について説明する。本記録再生装置１０は、地上波チューナ１、制御ＣＰＵ２、録画装置３、混合器４、リモートコントロール受信部１５、通信部１６等を有している。
【００２２】
地上波チューナ１は、地上アナログ放送波と、地上アナログ放送波に重畳される地上アナログ放送波の放送番組情報とを受信する受信部である。地上波チューナ１は、入力端子１１を介して地上波アンテナ２０が接続されている。地上波アンテナ２０は、地上アナログ放送波を受信するアンテナである。地上波チューナ１に入力された地上アナログ放送波は、録画装置３に送信される。
【００２３】
ＢＳ／ＣＳ（Broadcasting satellite／Communication satellite）チューナ１９は、ＢＳ／ＣＳ放送波と、ＢＳ／ＣＳ放送波に重畳されるＢＳ／ＣＳ放送波の放送番組情報とを受信する。ＢＳ／ＣＳチューナ１９は、受信したＢＳ／ＣＳ放送波を録画装置３に送信し、ＢＳ／ＣＳ放送波の放送番組情報を制御ＣＰＵ２に送信する。ＢＳ／ＣＳチューナ１９は、衛星アンテナ１８に接続されている。衛星アンテナ１８は、ＢＳ／ＣＳ放送波を受信するアンテナである。
【００２４】
制御ＣＰＵ２は、本記録再生装置１０の各コンポーネントの動作を制御するコントローラである。制御ＣＰＵ２には、データ入力端子１３を介してＢＳ／ＣＳチューナ１９と、地上波チューナ１と、録画装置３および混合器４とに接続されている。また、制御ＣＰＵ２は、地上波チューナ１と、ＢＳ／ＣＳチューナ１９とからそれぞれ入力された放送番組情報を例えばストレージデバイスとしても機能する録画装置３に格納する。制御ＣＰＵ２は、地上波チューナ１と、ＢＳ／ＣＳチューナ１９とからそれぞれ入力された放送番組情報に基づいて、例えばＥＰＧ（Electric program guide）のような電子番組表を生成する処理も実行する。制御ＣＰＵ２は、生成した電子番組表を混合器４および出力端子１４を介して受像機４０に出力される。ユーザは、受像機４０上に表示された電子番組表を参照することによって、録画予約処理の対象の放送番組を選択することができる。
【００２５】
録画装置３は、地上波チューナ１から入力された地上波アナログ放送波およびＢＳ／ＣＳチューナ１９から入力されたＢＳ／ＣＳ放送波などのオーディオ・ビデオ信号（ＡＶ信号）を圧縮符号化するためのエンコード処理を実行する。このエンコード処理により、ＡＶ信号は、例えばＭＰＥＧ２またはＭＰＥＧ４などのビデオフォーマット等に対応した、圧縮符号化されたデジタルデータ列に変換される。また、本実施形態においては、録画装置３は、エンコード処理を実行したＡＶ信号等を記録するストレージデバイスとしても用いられる。また、録画装置３は、制御ＣＰＵ２の制御の下、圧縮符号化されたＡＶ信号を復号するためのデコード処理も実行する。このデコード処理によって復号されたＡＶ信号は、混合器４および出力端子１４を介して受像機４０および例えばスピーカなどの音声出力装置４１に出力される。混合器４は、録画装置３から入力されるＡＶ信号に、制御ＣＰＵ２によって生成された電子番組表を重畳して出力端子１４を介して受像機４０に出力する。
【００２６】
リモートコントロール受信部１５は、例えばリモートコントロールユニット５０から赤外線信号などによって送信されるリモコンコードを受信する。リモートコントロールユニット５０は、受信したリモコンコードに応じて、ＡＶ信号の記録、再生、録画予約動作を制御する指示を制御ＣＰＵ２に送信する。
【００２７】
通信部１６は、ネットワーク接続端子１７を介してネットワーク７０上に接続された基地局８０および放送番組提供サーバ６０との通信を制御する。基地局８０は、例えば携帯端末８１などの携帯端末に電子メール等を配信する。
【００２８】
次に、図３を参照して、本実施形態における録画予約通知処理の例を説明する。
【００２９】
録画装置３は、キーワード管理部３１、放送番組情報格納部３２、録画予約管理部３３および通知バッファ３４等を有している。
【００３０】
キーワード管理部３１は、例えばリモートコントロールユニット５０がユーザによって操作されることによって、録画予約の放送番組名などに関連するキーワードを格納する。放送番組情報格納部３２は、地上波チューナ１とＢＳ／ＣＳチューナ１９とからそれぞれ入力された放送番組情報群と、ネットワーク７０および通信部１６を介して放送番組情報提供サーバ６０から入力された放送番組情報とを格納する。放送番組情報格納部３２は、例えばユーザによってリモートコントロールユニット５０が操作されることによって、例えば放送番組情報格納部３２に格納された放送番組から録画予約すべき放送番組が指定される。この録画予約された放送番組情報は、録画予約処理部２２に送信される。
【００３１】
録画予約管理部３３は、録画処理の実行が予約された放送番組を、即ち録画予約情報を格納する。具体的には、録画予約管理部３３は、録画予約情報毎に例えば予約ＩＤのような識別子を付して格納する。通知バッファ３４は、録画予約情報の中で、録画優先度が重複し、且つ録画予約された放送番組の録画処理が正常に実行できない放送番組の内容を格納する。
【００３２】
制御ＣＰＵ２は、録画予約判別部２１、録画予約処理部２２、録画予約通知処理部２３およびタイマークロック２４を有している。録画予約判別部２１は、放送番組情報格納部３２に格納された放送番組情報が、キーワード管理部３１から取得したキーワードに合致するか否かを判別する。即ち、放送番組情報に含まれる放送番組名などにキーワードが一致、あるいは含まれているか否かを判別する。録画予約判別部２１は、放送番組情報がキーワードに合致すると判別した場合、その放送番組情報を録画予約処理部２２に送信する。キーワードに合致しないと判別された場合、その放送番組情報は録画予約処理部２２に送信されない。
【００３３】
録画予約処理部２２は、録画優先度管理部２２１を有している。録画予約処理部２２は、録画予約判別部２１から入力された放送番組情報を録画予約管理部３３に送信する。録画優先度管理部２２１は、録画予約処理部２２に入力された放送番組情報に対して録画優先度を付加する。また、録画優先度管理部２２１は、ユーザによって指定されたキーワードに合致、またはそのキーワードを含む放送番組を録画予約すると共に、その録画予約された放送番組の録画優先度を付加することも出来る。この録画優先度は、録画予約された放送番組が指定された要因に基づいて、録画処理を実行する優先度の高い順に“最優先”、“優先”、“普通”、“非優先”が付加される。
【００３４】
“最優先”レベルの録画優先度で録画予約された放送番組および“普通”レベルの録画優先度で録画予約された放送番組は、ユーザによってリモートコントローラユニット５０等が操作されることで録画予約された放送番組の録画処理の優先度が決定される。“優先”レベルで録画予約された放送番組および“非優先”レベルの録画予約された放送番組は、予めユーザによって指定されるキーワード毎に設定可能な優先度である。例えば、キーワードが“ＡＢＣ”に指定されるとともに、このキーワードに指定された録画優先度が“優先”であった場合に、“ＡＢＣ”のキーワードに一致する放送番組情報の録画優先度およびこのキーワードの一部を含む放送番組情報が、“優先”レベルの録画予約情報として録画予約管理部３３に記録される。録画優先度が付加された放送番組情報は、録画予約管理部２２に送信される。録画予約処理部２２は、録画予約管理部２２に格納された録画予約情報の中から、放送番組の時間帯が重複しており、それぞれの録画予約情報の内容に基づいて放送番組の録画処理が正常に実行されない放送番組である。図３には、“予約Ａ”、“予約Ｂ”、“予約Ｃ”それぞれの録画予約情報の録画優先度が重複し、且つ録画予約が正常に実行されない録画予約情報の例が示されている。それぞれの録画予約情報の内容の例を次に示す。
【００３５】
（ａ）“予約Ａ”
放送日：１１月１０日木曜日、録画開始時間：２１時、録画終了時間：２２時５４分、録画優先度：優先、重複フラグ：オン、通知済フラグ：オン。
【００３６】
（ｂ）“予約Ｂ”
放送日：１１月１０日木曜日、録画開始時間：２２時、録画終了時間：２３時５４分、
録画優先度：優先、重複フラグ：オフ、通知済フラグ：オフ。
【００３７】
（ｃ）“予約Ｃ”
放送日：１１月１０日木曜日、録画開始時間：１９時、録画終了時間：２１時３０分、録画優先度：優先、重複フラグ：オン、通知済フラグ：オン。
【００３８】
重複フラグは、録画開始時間及び録画終了時間から構成される録画時間帯とから構成される録画時間帯が重複しているか否かを示す識別子である。通知済フラグは、録画予約情報の内容を携帯端末８１に送信したことがあるか否かを示す識別子である。
【００３９】
“予約Ａ”および“予約Ｂ”それぞれの録画予約が実行される日付と、録画開始時間および録画終了時間から構成される録画時間帯とは、重複している。“予約Ａ”および“予約Ｂ”それぞれの録画予約が実行される日付および録画時間帯は、重複している。即ち、図４に示すように、“予約Ａ”の日付と録画時間帯に対して“予約Ｂ”の日付と録画時間帯と、“予約Ｃ”の日付と録画時間帯とのそれぞれが重複している。録画予約処理部２２は、録画予約管理部３３に記録された録画予約情報郡の中から録画優先度が重複している放送番組情報を抽出して、抽出した録画予約情報の重複フラグをオンする抽出処理を実行する。また、抽出処理においては、録画予約処理部２２は、録画予約管理部３３に記録された録画情報の中から、録画時間帯が重複しており、録画時間帯が重複している録画予約情報が同一の録画優先度であって且つ最も遅い録画開始時間を含む録画予約情報（例えば、図４では“予約Ｂ”）を抽出し、抽出した録画予約情報の重複フラグをオフする。録画予約処理部２２は、録画予約管理部３３に記録された録画予約情報の内容が受像機４０の表示画面上に録画予約一覧画面として表示する。ユーザは、表示画面上に表示された録画予約の内容および録画優先度を編集することができる。編集された録画予約情報は再び録画予約管理部３３に記録される。この時、録画予約処理部２２は、上述の抽出処理を実行する。
【００４０】
録画予約処理部３３は、重複フラグがオンされており、且つ通知済フラグがオフである録画予約情報の内容を通知バッファ３４に送信する。録画予約処理部３３は、録画予約管理部３３に記録された録画予約情報群の中から、通知バッファ３４に送信すべき録画予約情報のそれぞれの予約ＩＤに対応する録画予約情報群の通知済フラグをオンする。
【００４１】
録画予約通知処理部２３は、通知バッファ３４に格納された録画予約情報の内容を記したテキストデータを含む電子メールを作成して、作成した電子メールを通知部１６に送信する。タイマークロック２４は、現在の日時を計時するリアルタイムクロックである。このタイマークロック２４には、録画予約管理部３３に格納された録画予約情報の放送開始時間または放送終了時間が到来した時、タイマークロック２４は、その計時された放送番組の録画予約情報に従って、録画処理を実行する指示を録画装置３に送信する。本日が何曜日であるかはリアルタイムクロックによって管理される暦に従って決定される。
【００４２】
通知部１６は、アドレス情報格納部１６１を有している。このアドレス情報格納部１６１には、リモートコントロールユニット５０が操作されることによって、携帯端末８１に送信すべき電子メールの宛先アドレスおよびパスワードなどが格納される。録画予約通知処理部２３は、アドレス情報格納部１６１に格納されたアドレス情報に従って、録画予約情報の内容を記したテキストデータを電子メールとして携帯端末８１に送信する。
【００４３】
次に、図５乃至図６を参照して、録画予約通知処理の第１の例を説明する。図５には、録画予約管理部３３に格納された録画予約情報が受像機４０に表示された録画予約一覧画面の例を示す図である。録画予約一覧画面１００には、“予約Ａ”、“予約Ｂ”および“予約Ｃ”の三つの録画予約情報それぞれの内容が表示されている。録画予約通知処理の第１の例においては、これら三つの録画予約情報の通知済フラグはオフであることを想定する。
【００４４】
“予約Ａ”の録画時間帯と“予約Ｂ”の録画時間帯とは重複している。“予約Ａ”の録画時間帯と“予約Ｂ”の録画時間帯とは重複している。この三つの録画予約情報の中で、最も録画開始時間の遅い“予約Ｂ”の録画処理は、正常に実行されるように制御されるため、“予約Ｂ”の重複フラグはオンされていない。録画予約通知処理の第１の例においては、記録再生装置１０は、重複フラグがオンで、且つ通知済フラグがオフである“予約Ａ”および“予約Ｃ”の録画予約情報の内容を含む電子メールを生成する。図６は、記録再生装置１０によって生成された電子メール２００が示されている。記録再生装置１０は、生成した電子メール２００を携帯端末８１に送信する。携帯端末８１は、送信された電子メールの内容を例えば携帯端末８１が有している表示画面上に表示する。これによって、ユーザが記録再生装置１０から離れた遠隔地（例えば外出先）に居ても、ユーザは、録画予約された放送番組の中から録画処理が正常に実行されない録画予約の内容を視認することが出来る。
【００４５】
次に、図７を参照して、録画予約通知処理の第２の例を説明する。図７は、録画予約管理部３３に格納された録画予約情報を含む録画予約一覧画面の例を示す図である。録画予約一覧画面３０１には、録画優先度３０２が“最優先”である“予約Ａ”、録画優先度３０３が“非優先”である“予約Ｂ”および録画優先度３０４が“優先”である“予約Ｃ”が表示されている。これら三つの録画予約情報の通知済フラグはオフであることを想定する。“予約Ａ”の録画時間帯および“予約Ｂ”の録画時間帯は、重複している。“予約Ａ”の録画時間帯および“予約Ｃ”の録画時間帯は、重複している。これによって、記録再生装置１０は、録画時間帯が重複している“予約Ａ”、“予約Ｂ”および“予約Ｃ”を抽出する。抽出した三つの録画予約情報それぞれの録画優先度は互いに異なっている。三つの録画予約情報の中で、録画優先度が最も高い“予約Ａ”の録画予約は最優先で実行される。このため、“予約Ａ”の重複フラグはオンされない。録画予約通知処理の第２の例においては、記録再生装置１０は、重複フラグがオンで、且つ通知済フラグがオフである“予約Ｂ”および“予約Ｃ”の録画予約情報の内容を含む電子メールを生成し、生成した電子メールを携帯端末８１に送信する。これによって、録画予約通知処理の第２の例においては、録画予約情報の録画時間帯が重複している録画予約情報群の中から、録画優先度の最も高い録画優先度の録画予約情報以外の録画予約情報の内容を含む電子メールが携帯端末８１に送信される。また、録画予約情報の録画時間帯が重複している録画予約情報群の中で、最も高い録画優先度の録画予約情報の録画処理が、途中で途切れて他の録画予約情報の録画処理が実行されることなく、正常に実行される。
【００４６】
次に、図８を参照して、録画予約通知処理の第３の例を説明する。録画予約通知処理の第３の例においては、受像機４０の表示画面上に表示された録画予約一覧上の録画予約情報の内容または録画優先度がユーザによって編集されることによって実行される録画予約通知処理の例である。この編集処理は、例えばリモートコントローラユニット５０がユーザによって操作されることで、録画予約一覧画面上の内容または録画優先度が変更される
。表示部記録再生装置１０は、録画予約一覧画面上で編集された録画予約情報を録画予約管理部３３に記録する。表示画面上４０１では、“予約Ａ”、“予約Ｂ”および“予約Ｃ”の三つの録画予約情報が表示されている。“予約Ａ”の録画時間帯と“予約Ｂ”の録画時間帯とは重複している。“予約Ａ”の録画時間帯と“予約Ｃ”の録画時間帯とは重複している。これによって、記録再生装置１０は、録画時間帯が重複している“予約Ｂ”と“予約Ｃ”とのそれぞれの録画予約情報の内容を含む電子メールを携帯端末８１に送信する。電子メールを携帯端末８１に送信した時点においては、“予約Ａ”は、３つの録画優先度の中で最も高い録画優先度であり、重複フラグおよび通知済フラグはオフである。“予約Ｂ”は、３つの録画優先度の中で最も低い録画優先であり、重複フラグおよび通知済フラグがオンである。“予約Ｃ”は、録画優先度が“優先”４０２であって、重複フラグおよび通知済フラグがオンである。
【００４７】
この録画予約一覧画面４０１上の“予約Ｃ”の録画優先度“優先”４０２が、録画予約一覧画面４１１上の“予約Ｃ”の録画優先度“最優先”４０３に変更された場合、記録再生装置１０は、録画予約一覧画面上４０１上で変更された録画予約情報を録画予約管理部３３に記録する。“予約Ｃ”の録画優先度が“最優先”４０３に変更された時、変更された“予約Ｃ”の通知済フラグはオフされる。録画予約管理部３３に記憶された録画予約情報群が変更された時、記録再生装置１０は、上述の抽出処理を実行する。３つの録画予約情報“予約Ａ”の録画時間帯および“予約Ｂ”の録画時間帯は重複している。“予約Ａ”の録画時間帯および“予約Ｃ”の録画時間帯は重複している。３つの録画予約情報の中で、最優先の録画予約情報が二つ存在する時、つまり、同一の録画予約情報が二つ以上存在する場合、最も遅い録画開始時間である“予約Ａ”以外である“予約Ｂ”と“予約Ｃ”とのそれぞれ録画予約情報の重複フラグがオンされる。再び抽出処理が実行された時点においては、“予約Ａ”の重複フラグおよび通知済フラグはオフである。“予約Ｂ”の重複フラグおよび通知済フラグもオンである。“予約Ｃ”の重複フラグはオンであり、通知済みフラグはオフである。記録再生装置１０は、重複フラグがオンで、且つ通知済フラグがオフである“予約Ｃ”の録画予約情報の内容を含む電子メールを生成し、生成した電子メールを携帯端末８１に送信する。これによって、録画予約通知処理の第３の例においては、録画予約情報の録画時間帯が重複しており、且つ録画優先度が同一の録画予約情報の中から、最も遅い録画開始時間の録画予約情報の内容を含む電子メールが携帯端末８１に送信される。また、最も遅い録画開始時間の録画予約情報の録画処理が、録画時間帯が重複している他の録画予約情報の録画処理が実行されことなく、正常に実行される。また、記録再生装置１０は、編集された録画予約情報の中で、通知済フラグがオンである録画予約情報の内容が除外された電子メールを携帯端末８１に送信する。即ち、既に携帯端末１８に送信されている録画予約情報の内容は除外された電子メールが携帯端末８１に送信される。ユーザは、新たに録画処理が失敗する可能性のある録画予約情報の内容のみを簡潔に視認することが出来る。
【００４８】
次に、図９および図１０のフローチャートを参照して、録画予約通知処理の手順の第１の例を説明する。録画予約通知処理の手順の第１の例においては、制御ＣＰＵ２の制御下で実行される。
【００４９】
制御ＣＰＵ２は、地上波チューナ１、ＢＳ／ＣＳチューナ１９およびネットワーク７０を介して放送番組情報を受信する（ステップＳ１０１）。制御ＣＰＵ２は、放送番組情報提供サーバ６０から受信された放送番組情報群と、受信した放送番組データに重畳された放送番組情報群とを放送番組情報格納部３２に格納する（ステップＳ１０２）。
【００５０】
制御ＣＰＵ２は、放送番組情報格納部３２に格納された放送番組情報群の中から一つの放送番組情報を選択し、その選択した放送番組情報とキーワードとが合致するか否かを判別する（ステップＳ１０３）。合致すると判別された場合（ステップＳ１０３のＹＥＳ）、制御ＣＰＵ２は、合致した放送番組情報と同一の内容の放送番組情報が録画予約管理部３３に格納されているか否かを判別する（ステップＳ１０４）。同一の内容の放送番組情報が録画予約管理部３３に格納されていないと判別された場合（ステップＳ１０４のＮＯ）、制御ＣＰＵ２は、合致した放送番組情報を録画予約された放送番組として録画予約管理部３３に格納する（ステップＳ１０５）。制御ＣＰＵ２は、受信した放送番組情報群がまだあるか否かを判別する（ステップＳ１０６）。受信した放送番組情報群がまだある場合（ステップＳ１０６のＹＥＳ）、制御ＣＰＵ２は、ステップＳ１０２に進む。
【００５１】
一方、受信した放送番組情報群が無い場合（ステップＳ１０６のＮＯ）、制御ＣＰＵ２は、録画予約管理部３３に記録された録画予約情報群の中から、録画時間帯が重複している録画予約情報を抽出する（ステップＳ１０７）。録画時間帯が重複している録画予約情報が抽出された場合（ステップＳ１０７のＹＥＳ）、制御ＣＰＵ２は、抽出した録画予約情報群の中の最も高い録画優先度を検出する。最も高い録画優先度を有する録画予約情報が検出されたとき、制御ＣＰＵ２は、最も高い録画優先度と同一の録画優先度の録画予約情報が存在するか否かを判別する。
【００５２】
制御ＣＰＵ２は、抽出した録画予約情報群の中に最優先の録画予約情報が一つだけあるか否かを判別する（ステップＳ１０８）。“最優先”である録画予約情報が一つだけあると判別された場合（ステップＳ１０８のＹＥＳ）、制御ＣＰＵ２は、抽出した録画予約情報群の中で、“最優先”である録画予約情報以外の録画予約情報それぞれの重複フラグをオンする（ステップＳ１０９）。ステップＳ１０９においては、制御ＣＰＵ２は、“最優先”である録画予約情報の録画処理が正常に実行されるように制御する。制御ＣＰＵ２はステップＳ１０９の処理を実行した後、図１０のステップＳ１２０に進む。
【００５３】
“最優先”である録画予約情報が一つだけでないと判別された場合（ステップＳ１０８のＮＯ）、制御ＣＰＵ２は、抽出した録画予約情報の中に“最優先”である録画予約情報が二つ以上あるか否かを判別する（図１０のステップＳ１１０）。“最優先”である録画予約情報が二つ以上あると判別された場合（ステップＳ１１０のＹＥＳ）、制御ＣＰＵ２は、“最優先”である録画予約情報の中で最も遅い録画開始時間の録画予約情報以外である録画予約情報の重複フラグをオンする（ステップＳ１１９）。一方、“最優先”である録画録画予約情報が二つ以上無いと判別された場合（ステップＳ１１０のＮＯ）、制御ＣＰＵ２は、抽出した録画予約情報の中に“優先”である録画予約銃情報である録画予約情報が一つだけあるか否かを判別する（ステップＳ１１１）。
【００５４】
“優先”である録画予約情報が一つだけあると判別された場合（ステップＳ１１１のＹＥＳ）、制御ＣＰＵ２は、抽出した録画予約情報の中で、録画優先度が“優先”である録画予約情報以外の録画予約情報それぞれの重複フラグをオンする（ステップＳ１１２）。ステップＳ１１２においては、制御ＣＰＵ２は、“優先”である録画予約情報の録画処理が正常に実行されるように制御する。“優先”である録画予約情報が一つだけでないと判別された場合（ステップＳ１１１のＮＯ）、制御ＣＰＵ２は、抽出した録画予約情報の中に“優先”である録画予約情報が二つ以上あるか否かを判別する（ステップＳ１１３）。“優先”である録画予約情報が二つ以上あると判別された場合（ステップＳ１１３のＹＥＳ）、制御ＣＰＵ２は、“優先”である録画予約情報の中で最も遅い録画開始時間の録画予約情報以外の録画予約情報の重複フラグをオンする（ステップＳ１１９）。一方、“優先”である録画予約情報が二つ以上無いと判別された場合（ステップＳ１１３のＮＯ）、制御ＣＰＵ２は、抽出した録画予約情報の中で、“普通”である録画予約情報が一つだけあるか否かを判別する（ステップＳ１１４）。
【００５５】
“普通”である録画予約情報が一つだけあると判別された場合（ステップＳ１１４のＹＥＳ）、制御ＣＰＵ２は、抽出した録画予約情報の中で、録画優先度が“普通”である録画予約情報以外の録画予約情報それぞれの重複フラグをオンする（ステップＳ１１６）。ステップＳ１１６においては、制御ＣＰＵ２は、“普通”である録画予約情報の録画処理が正常に実行されるように制御する。普通である録画予約情報が一つだけでないと判別された場合（ステップＳ１１４のＮＯ）、制御ＣＰＵ２は、抽出した録画予約情報の中に“普通”である録画予約情報が二つ以上あるか否かを判別する（ステップＳ１１５）。“普通”である録画予約情報が二つ以上ある場合（ステップＳ１１５のＹＥＳ）、制御ＣＰＵ２は、“普通”である録画予約情報の中で最も遅い録画開始時間の録画予約情報以外の重複フラグをオンする（ステップＳ１１９）。一方、“普通”である録画予約情報が二つ以上無いと判別された場合（ステップＳ１１５のＮＯ）、制御ＣＰＵ２は、抽出した録画予約情報郡の中で、“非優先”である録画予約情報が一つだけあるか否かを判別する（ステップＳ１１７）。“非優先”である録画予約情報が一つだけあると判別された場合（ステップＳ１１７のＹＥＳ）、制御ＣＰＵ２は、抽出した録画予約情報の中で“非優先”である録画予約情報以外の録画予約情報の重複フラグをオンする（ステップＳ１１８）。一方、抽出した録画予約情報の中で、“非優先”である録画予約情報が一つだけ無いと判別された場合（ステップＳ１１７のＮＯ）、制御ＣＰＵ２は、“非優先”である録画予約情報が二つ以上あると判別し、“非優先”である録画予約情報の中で最も遅い録画開始時間の録画予約情報以外の重複フラグをオンする（ステップＳ１１９）。
【００５６】
次に、制御ＣＰＵ２は、重複フラグがオンである録画予約情報の内容を含む電子メールを生成し、生成した電子メールを携帯端末８１に送信する（ステップＳ１２０）。ステップＳ１２０においては、制御ＣＰＵ２は、重複フラグがオフである録画予約情報の録画処理が途中で中断されること無く実行されるように制御する。制御ＣＰＵ２は、録画予約情報の内容を携帯端末８１に送信した録画予約情報の通知済フラグをオンする（ステップＳ１２１）。
【００５７】
一方、録画予約管理部３３に記録された録画予約情報群の中から、録画時間帯が重複している録画予約情報が抽出されなかった場合（ステップＳ１０７のＮＯ）、制御ＣＰＵ２は、録画予約通知処理を終了する。
【００５８】
次に、図１１および図１２のフローチャートを参照して、録画予約通知処理の手順の第２の例を説明する。録画予約通知処理の手順の第２の例においては、制御ＣＰＵ２の制御下で実行され、この録画予約通知処理の手順の第２の例においては、録画予約管理部３３に記録された録画予約情報の録画優先度が変更された場合を想定する。
【００５９】
制御ＣＰＵ２は、リモートコントローラユニット５０がユーザによって操作されることにより、録画予約一覧画面を受像機４０の表示画面上に表示する（ステップＳ２０１）。制御ＣＰＵ２は、録画予約一覧画面上の録画優先度がユーザによって変更されたか否かを判別する（ステップＳ２０２）。録画優先度が変更された場合（ステップＳ２０２のＹＥＳ）、制御ＣＰＵ２は、変更された録画優先度に従って、録画予約管理部３３に記録された録画予約情報の内容を更新する（ステップＳ２０３）。制御ＣＰＵ２は、録画予約一覧画面上でユーザによって変更された録画優先度がまだあるか否かを判別する（ステップＳ２０４）。録画優先度を変更しない場合（ステップＳ２０２のＹＥＳ）、制御ＣＰＵ２は、ステップＳ２０４の処理に進む。
【００６０】
一方、録画予約一覧画面上で変更された録画優先度が無いと判別された場合（ステップＳ２０４のＹＥＳ）、制御ＣＰＵ２は、録画予約管理部３３に記録された録画予約情報群の中から、録画時間帯が重複している録画予約情報を抽出する（ステップＳ２０５）。録画時間帯が重複している録画予約情報が抽出された場合（ステップＳ２０５のＹＥＳ）、制御ＣＰＵ２は、抽出した録画予約情報群の中の最も高い録画優先度を検出する。最も高い録画優先度を有する録画予約情報が検出されたとき、制御ＣＰＵ２は、最も高い録画優先度と同一の録画優先度の録画予約情報が存在するか否かも判別する。
【００６１】
制御ＣＰＵ２は、抽出した録画予約情報群の中に最優先の録画予約情報が一つだけあるか否かを判別する（ステップＳ２０６）。“最優先”である録画予約情報が一つだけあると判別された場合（ステップＳ２０６のＹＥＳ）、制御ＣＰＵ２は、抽出した録画予約情報群の中で、“最優先”である録画予約情報以外の録画予約情報それぞれの重複フラグをオンする（ステップＳ２０７）。ステップＳ２０７においては、制御ＣＰＵ２は、“最優先”である録画予約情報の録画処理が正常に実行されるように制御する。制御ＣＰＵ２はステップＳ２０７の処理を実行した後、図１２のステップＳ２１８に進む。
【００６２】
“最優先”である録画予約情報が一つだけでないと判別された場合（ステップＳ２０６のＮＯ）、制御ＣＰＵ２は、抽出した録画予約情報の中に“最優先”である録画予約情報が二つ以上あるか否かを判別する（図１１のステップＳ２０８）。“最優先”である録画予約情報が二つ以上あると判別された場合（ステップＳ２０８のＹＥＳ）、制御ＣＰＵ２は、“最優先”である録画予約情報の中で最も遅い録画開始時間の録画予約情報以外である録画予約情報の重複フラグをオンする（ステップＳ２１７）。一方、“最優先”である録画録画予約情報が二つ以上無いと判別された場合（ステップＳ２０８のＮＯ）、制御ＣＰＵ２は、抽出した録画予約情報の中に“優先”である録画予約銃情報である録画予約情報が一つだけあるか否かを判別する（ステップＳ２０９）。
【００６３】
“優先”である録画予約情報が一つだけあると判別された場合（ステップＳ２０９のＹＥＳ）、制御ＣＰＵ２は、抽出した録画予約情報の中で、録画優先度が“優先”である録画予約情報以外の録画予約情報それぞれの重複フラグをオンする（ステップＳ２１０）。ステップＳ１１２においては、制御ＣＰＵ２は、“優先”である録画予約情報の録画処理が正常に実行されるように制御する。“優先”である録画予約情報が一つだけでないと判別された場合（ステップＳ２０９のＮＯ）、制御ＣＰＵ２は、抽出した録画予約情報の中に“優先”である録画予約情報が二つ以上あるか否かを判別する（ステップＳ２１１）。“優先”である録画予約情報が二つ以上あると判別された場合（ステップＳ２１１のＹＥＳ）、制御ＣＰＵ２は、“優先”である録画予約情報の中で最も遅い録画開始時間の録画予約情報以外の録画予約情報の重複フラグをオンする（ステップＳ２１７）。一方、“優先”である録画予約情報が二つ以上無いと判別された場合（ステップＳ２１１のＮＯ）、制御ＣＰＵ２は、抽出した録画予約情報の中で、“普通”である録画予約情報が一つだけあるか否かを判別する（ステップＳ２１２）。
【００６４】
“普通”である録画予約情報が一つだけあると判別された場合（ステップＳ２１２のＹＥＳ）、制御ＣＰＵ２は、抽出した録画予約情報の中で、録画優先度が“普通”である録画予約情報以外の録画予約情報それぞれの重複フラグをオンする（ステップＳ２１３）。ステップＳ１１６においては、制御ＣＰＵ２は、“普通”である録画予約情報の録画処理が正常に実行されるように制御する。普通である録画予約情報が一つだけでないと判別された場合（ステップＳ２１２のＮＯ）、制御ＣＰＵ２は、抽出した録画予約情報の中に“普通”である録画予約情報が二つ以上あるか否かを判別する（ステップＳ２１４）。“普通”である録画予約情報が二つ以上ある場合（ステップＳ２１４のＹＥＳ）、制御ＣＰＵ２は、“普通”である録画予約情報の中で最も遅い録画開始時間の録画予約情報以外の重複フラグをオンする（ステップＳ２１７）。一方、“普通”である録画予約情報が二つ以上無いと判別された場合（ステップＳ２１４のＮＯ）、制御ＣＰＵ２は、抽出した録画予約情報郡の中で、“非優先”である録画予約情報が一つだけあるか否かを判別する（ステップＳ２１５）。“非優先”である録画予約情報が一つだけあると判別された場合（ステップＳ２１５のＹＥＳ）、制御ＣＰＵ２は、抽出した録画予約情報の中で“非優先”である録画予約情報以外の録画予約情報の重複フラグをオンする（ステップＳ２１６）。一方、抽出した録画予約情報の中で、“非優先”である録画予約情報が一つだけ無いと判別された場合（ステップＳ２１５のＮＯ）、制御ＣＰＵ２は、“非優先”である録画予約情報が二つ以上あると判別し、“非優先”である録画予約情報の中で最も遅い録画開始時間の録画予約情報以外の重複フラグをオンする（ステップＳ２１７）。
【００６５】
次に、制御ＣＰＵ２は、重複フラグがオンであって、且つ通知済フラグがオフである録画予約情報の内容を含む電子メールを生成し、生成した電子メールを携帯端末８１に送信する（ステップＳ２１８）。ステップＳ２１８においては、制御ＣＰＵ２は、重複フラグがオンであって、且つ通知済フラグがオフである録画予約情報の内容を受像機４０の表示画面上に出力してもよい。ステップＳ２１８においては、制御ＣＰＵ２は、重複フラグがオフである録画予約情報の録画処理が途中で中断されること無く実行されるように制御する。制御ＣＰＵ２は、録画予約情報の内容を携帯端末８１に送信した録画予約情報の通知済フラグをオンする（ステップＳ２１９）。
【００６６】
一方、録画予約管理部３３に記録された録画予約情報群の中から、録画時間帯が重複している録画予約情報が抽出されなかった場合（ステップＳ２０５のＮＯ）、制御ＣＰＵ２は、録画予約通知処理を終了する。
【００６７】
以上のように、本実施形態の記録再生装置は、キーワードに関連する放送番組が自動的に録画予約された時、その録画予約された放送番組が正常に実行されない放送番組の内容を含む電子メールを携帯端末に送信する。これによって、ユーザは、遠隔地に居る場合であっても、記録再生装置を操作することなく、録画予約が正常に実行されない録画予約があることを確認することが出来る。
【００６８】
なお、放送番組の録画処理が正常に実行されない放送番組の内容を含む電子メールを携帯端末８１に送信するタイミングが、外部から放送番組情報を受信した時に実行してもよい。記録再生装置１０は、放送番組情報を受信するタイミングが例えば、ある一定の周期毎（例えば、一週間に一度）に、一ヶ月先までの最新の放送番組情報群を受信する。このため、その一定の周期毎に録画予約処理が実行されると共に、録画予約通知処理も実行される。即ち、放送番組情報群の受信と放送番組情報の録画予約とが実行されるとともに、さらに録画予約が正常に実行されない放送番組の内容を含む電子メールが携帯端末８１に送信される。
【００６９】
また、本実施例においては、録画優先度が変更されることにより、録画優先度が重複しており、且つ放送番組情報の録画処理が正常に実行されないか否かを判別したが、録画予約情報の内容が変更されることによっても判別してもよい。
【００７０】
なお、本実施形態においては、録画予約された放送番組の内容を携帯端末に送信する例を説明したが、例えば記録再生装置１０が設置された部屋とは別の部屋に設置されたパーソナルコンピュータのような端末に送信してもよい。
【００７１】
また、本発明は、上記実施形態そのままに限定されるものではなく、実施段階では、その要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。さらに異なる実施形態に構成要素を適宜組み合わせてもよい。
【図面の簡単な説明】
【００７２】
【図１】本発明の一実施形態に係る記録再生装置のシステム構成の例を示すブロック図。
【図２】図１の記録再生装置によって実行される録画予約通知処理の例を説明するためのブロック図。
【図３】図１の記録再生装置によって録画予約された放送番組群の例を示す図。
【図４】図１の記録再生装置によって録画予約された放送番組群の録画時間帯が重複している様子を説明するための図。
【図５】図１の記録再生装置に表示される録画予約情報の内容が重複している表示画面の第１の例を説明するための図。
【図６】図１の記録再生装置から携帯端末に送信される電子メールの内容の例を示す図。
【図７】図１の記録再生装置に表示される録画予約情報の内容が重複している表示画面の第２の例を説明するための図。
【図８】図１の記録再生装置に表示される録画予約情報の内容が重複している表示画面の第３の例を説明するための図。
【図９】図１の記録再生装置によって実行される録画予約通知処理の手順の第１の例を説明するための第１のフローチャート。
【図１０】図１の記録再生装置によって実行される録画予約通知処理の手順の第１の例を説明するための第２のフローチャート。
【図１１】図１の記録再生装置によって実行される録画予約通知処理の手順の第２の例を説明するための第１のフローチャート。
【図１２】図１の記録再生装置によって実行される録画予約通知処理の手順の第２の例を説明するための第２のフローチャート。
【符号の説明】
【００７３】
１…地上波チューナ、２…制御ＣＰＵ、３…録画装置、１０…記録再生装置、１９…ＢＳ／ＣＳチューナ、１６…通信部、２１…録画予約判別部、２２…録画予約処理部、２３…録画予約通知処理部、２４…タイマークロック、３１…キーワード管理部、３２…放送番組情報格納部、３３…録画予約管理部、３４…通知バッファ、６０…放送情報提供サーバ、７０…ネットワーク、８０…基地局、８１…携帯端末、２２１…録画優先度管理部。
【図１】
2007088721.tif 000003
【図２】
2007088721.tif 000004
【図３】
2007088721.tif 000005
【図４】
2007088721.tif 000006
【図５】
2007088721.tif 000007
【図６】
2007088721.tif 000008
【図７】
2007088721.tif 000009
【図８】
2007088721.tif 000010
【図９】
2007088721.tif 000011
【図１０】
2007088721.tif 000012
【図１１】
2007088721.tif 000013
【図１２】
2007088721.tif 000014